(57)【特許請求の範囲】
【請求項１】
一端部に支持具本体(1) を有する取付杆(9) の他端部を壁面等の取付面(B) に取付けるべく該他端部が固定部材(12)の背面に形成した凹所(13)に嵌入されて固定手段により固定される樋支持具に於いて、取付杆(9) の他端部側背面に前記取付面(B) に当接する凸状部(11)が少なくとも上下に所定間隔を有して突設され且つ該凸状部(11)間には前記固定手段が配されてなることを特徴とする樋支持具。
【請求項２】
前記凸状部(11)が取付面(B) に食込み可能に構成されてなる請求項１記載の樋支持具。
【請求項３】
前記固定手段がリベット(17)である請求項１又は２記載の樋支持具。
【請求項４】
前記固定手段がスポット溶接である請求項１又は２記載の樋支持具。
【発明の詳細な説明】
【０００１】
【発明の属する技術分野】
本発明は、樋を支持すべく建造物の壁面等に取付けられる樋支持具の改良に関する。
【０００２】
【従来の技術】
従来、この種樋支持具としては、例えば図４に示すようなものが存在する。
【０００３】
即ち、この従来のものは、一端部に支持具本体（図示せず）を有する取付杆9aの他端部を、固定部材12ａの背面に設けた凹所13ａに嵌入してリベット17ｂで固定したものであり、図４(ロ) のように固定部材12ａの脚片14ａを介して壁面等の取付面Ｂ' に複数の樋支持具が固定される。
【０００４】
そして、樋は各樋支持具の支持具本体に掛け渡すようにして装着されるが、取付面Ｂ' の状態、樋支持具の取付誤差、樋の変形等により樋の装着が困難となる場合があり、この場合は支持具本体に樋を装着できるように、施工業者が取付杆9aに外力を加えてこれを曲げ、支持具本体の位置調整を行っていたのである。
【０００５】
【発明が解決しようとする課題】
しかしながら、このようにして取付杆9aに外力が加えられると、リベット17ｂに引張力が集中して作用するため、リベット17ｂが伸長することになり、その結果固定部材12ａと取付杆9aとの良好な固定状態を維持できず、取付杆9aにがたつきを生ぜしめるという大なる問題点を有していたのである。
【０００６】
それ故に、本発明は上記従来の問題点を解決するためになされたものであり、取付杆と固定部材との良好な固定状態を長期に亘って維持できるようにすることを課題とする。
【０００７】
【課題を解決するための手段】
即ち、上記課題を解決するために本発明が採った手段は、一端部に支持具本体１を有する取付杆９の他端部を壁面等の取付面Ｂに取付けるべく該他端部が固定部材12の背面に形成した凹所13に嵌入されて固定手段により固定される樋支持具に於いて、取付杆９の他端部側背面に前記取付面Ｂに当接する凸状部11が少なくとも上下に所定間隔を有して突設され且つ該凸状部11間には前記固定手段が配されてなる点にある。
【０００８】
従って、上記発明特定事項を特徴とする樋支持具に於いては、固定部材12を取付面Ｂに取付けると、該取付面Ｂに取付杆９の凸状部11が当接することになる。
【０００９】
そして、所定間隔を有して取付面Ｂに取付けた樋支持具の支持具本体１間に樋を掛け渡すようにして装着する。
【００１０】
【発明の実施の形態】
以下、本発明の一実施形態ついて図面に従って説明する。
【００１１】
図１に於いて、１は両側縁に上向きの折曲側片２，２を対面形成した支持具本体を示し、その一端には支持すべき樋３の凹状部3aに係入可能な係入片４が上向きに形成されると共に、他端には樋３の耳部3bに嵌合可能な耳保持部５が略コの字状に折曲形成されてなり、該耳保持部５の先端には延設片６が斜め下方に設けられている。７は前記係入片４の内側部に対向して設けられた折曲片を示す。８は支持具本体１の他端側裏面に前記耳保持部５に対向して設けられたバネ板からなる弾性片であり、その先端は上向きに折曲されてなる。
【００１２】
９は一端部が支持具本体１にスライド自在に取付けられた取付杆で、垂下した他端部には図２(イ) のように挿通孔10が穿設されると共に、その上下には所定間隔を有して一対の凸状部11が背面側に突設されている。
【００１３】
12は図２(ハ) のように背面側に取付杆９の他端部を嵌入可能な凹所13を形成すべく中央部分を前方に突出させた固定部材で、その両側に設けた脚片14には複数の取付孔15が上下方向に所定間隔を有して穿設されており、また凹所13に穿設した挿通孔16と前記取付杆９の挿通孔10に挿通したリベット17により取付杆９の他端部は固定部材12に固定されている。尚、本実施形態ではリベット17の頭部17ａの高さは前記凸状部11の高さと一致させている。
【００１４】
本実施形態は以上のような構成からなり、かかる樋支持具Ａは壁面等の取付面Ｂに所定間隔を有して複数取付けられる。即ち、図１のように釘18等を固定部材12の取付孔15を介して壁面等の取付面Ｂに打ち込むのであるが、取付杆９の凸状部11及びリベット17の頭部17ａが取付面Ｂに当接した状態で該取付面に樋支持具Ａが取付けられることになる。
【００１５】
ところで、樋支持具Ａの取付誤差、取付面Ｂの凹凸、樋３の変形等により樋３の装着が困難となる場合があるが、この場合は例えば図３の如く矢印方向に施工業者が取付杆９に外力を加え、取付杆９の位置を調整を行って樋３を装着する。
【００１６】
このように、外力が取付杆９に加えられても、その背面には取付面Ｂに当接する凸状部11がリベット17の上下に設けられてなるため、リベット17自体に大きな引張力が加わることはなく、よってリベット17による取付杆９と固定部材12との固定状態は長期に亘って確実に維持されるのである。従って、取付杆９、支持具本体１及び樋３にがたつきを生ぜしめるようなこともない。
【００１７】
また、本実施形態に係る樋支持具は全体の構成が非常に簡易であり、その製作も安価に行えるという利点もある。
【００１８】
尚、上記実施形態に於いては、取付杆９と固定部材12との固定手段としてリベット17を使用したが、この両者を例えばスポット溶接により固定した場合にも本発明は適用可能であり、この場合は溶接した部位の少なくとも上下位置に凸状部11を設ければよい。これにより、不用意な溶接部の破損を防止することができることになる。
【００１９】
また、取付杆９の背面に設ける凸状部11は少なくとも固定手段の上下位置に配されればよいが、例えば固定手段の周囲に環状に設けることも可能である。
【００２０】
さらに、凸状部11の先端を尖鋭状に形成すれば、取付面Ｂに取付けた際には該取付面Ｂに前記凸状部11の先端が食込むので、固定手段が外力から受ける影響をさらに低減することができる。
【００２１】
その他、支持具本体１、取付杆９及び固定部材12の形状等の具体的な構成も本発明の意図する範囲内に於いて任意に設計変更自在である。
【００２２】
【発明の効果】
叙上のように、本発明に於いては、取付面に固定部材を取付けた際には該取付面に取付杆の凸状部が当接するため、取付杆に外力が加わっても凸状部により固定手段が保護されることとなる。
【００２３】
従って、固定手段による取付杆と固定部材との固定状態を長期に亘って確実に維持することが可能になり、取付杆、支持具本体及び樋にがたつきを生ぜしめることもなくなるという格別の効果を得るに至った。
【００２４】
また、本発明に係る樋支持具は全体の構成が非常に簡易であり、その製作も容易に且つ安価に行えるという効果を奏する。
【図面の簡単な説明】
【図１】本発明に係る樋支持具の一実施形態を示す正面図。
【図２】  (イ) は要部拡大断面図、(ロ) は同背面図、(ハ) は断面図。
【図３】使用状態を示す要部断面図。
【図４】従来例を示し、(イ) は要部斜視図、(ロ) は取付状態を示す断面図。
【符号の説明】
１…支持具本体
９…取付杆
11…凸状部
12…固定部材
13…凹所
17…リベット
Ｂ…取付面
【図１】
0003686738.tif 000002
【図２】
0003686738.tif 000003
【図３】
0003686738.tif 000004
【図４】
0003686738.tif 000005